(57)【特許請求の範囲】
【請求項１】
可撓性の抽水ホースの一端部に、管内から水を吸引する吸水口部を取り付けると共に、他端部を、前記吸水口部から吸引した水を吸引排出する水吸引装置に取り付けてある管内抽水装置であって、
前記吸水口部の後方に、管内を目視可能なカメラと、前記カメラを取り付け自在なカメラ取付部とを備えるカメラヘッドを設け、前記吸水口部が前記カメラヘッドよりも小径であり、前記吸水口部と前記カメラヘッドとの間を可撓性の抽水管で連通接続してある管内抽水装置。
【請求項２】
前記可撓性の抽水管と、可撓性支持線状体とが前記可撓性の注水ホース内に収容されており、前記可撓性支持線状体が、前記可撓性の抽水管に沿って設けられている請求項１記載の管内抽水装置。
【発明の詳細な説明】
【０００１】
【発明の属する技術分野】
本発明は、管内の溜まり水を抽水する管内抽水装置に関し、詳しくは、可撓性の抽水ホースの一端部に、管内から水を吸引する吸水口部を取り付けると共に、他端部を、前記吸水口部から吸引した水を吸引排出する水吸引装置に取り付けてある管内抽水装置に関する。
【０００２】
【従来の技術】
従来、地中に埋設した配管内の水を抽水するのに、先ず、配管内に、管内を目視可能な内視用のカメラを挿入し、前記挿入したカメラで管内に溜まった水の位置を確認して、前記カメラを管内から引き出した後、抽水ホースを前記配管内に挿入し、その先端部の抽水ヘッドを前記確認した溜まり水の位置にまで到達させたところで、水吸引装置で前記抽水ホース内を吸引して、前記配管内の溜まり水を吸引排出することが行われている。このために、カメラは抽水ホースとは別に備えられていた。
【０００３】
【発明が解決しようとする課題】
上記従来構成においては、配管内の抽水すべき溜まり水の位置を確認する作業と、前記確認した溜まり水の位置まで抽水ホースを配管内に挿入して、水吸引装置によって抽水する作業とを別々に行わねばならず、抽水後の配管内の状況を再確認しなければならなかった。このために、上記両作業を繰り返さねばならなかった。これに対処するために、先に出願人は、図７に示すような、配管内に溜まった水の位置を確認する際に、同時に抽水ホースを挿入できるようにした管内抽水装置を提案している（実願平５−６９７０２号参照）。つまり、上記提案した管内抽水装置においては、図６に示すように、抽水ヘッド１０の先端部にカメラヘッド２０を取り付けてある。従って、抽水ホース２を管内に挿入して、抽水場所Ｌ、即ち溜まり水Ｗの場所にまで抽水ヘッド１０を挿入して、その吸水口部１の吸引口１ａで前記溜まり水Ｗを吸引するのは、前記カメラヘッド２０に備えるカメラで管内を目視しながらであるから、支障なく行えるものであった。しかしながら、上記提案においては、抽水ホースを挿入する際の上記挿入位置を決めることを目的としたものであったから、溜まり水の状態は、抽水ヘッド１０の前方の状況から視認できるから、前記抽水ヘッド１０での抽水の状況、つまり吸引口１ａでの吸引状態を監視する必要を考えていなかったのである。また、カメラヘッド２０を備えるようにしていたから、前記カメラヘッド２０が溜まり水に達しない状態では、抽水ヘッド１０はその手前にあり、抽水できないから、前記カメラヘッド２０が溜まり水の中に浸されることもあり、保守に手間を要する上に、小径管の場合等には抽水ヘッド１０が大きいために使用困難であり、どのような埋設管にも適用できるものでもなかった。このような場合には、上記従来構成のものを用いねばならず、依然として時間と手間を要することとなる。
【０００４】
そこで、本発明は、管内を観察しながら抽水ホースを誘導できながら、抽水状況をも観察可能にする管内抽水装置を提供する点にある。
【０００５】
【課題を解決するための手段】
〔本発明の特徴構成〕
請求項１に係わる本発明の管内抽水装置の特徴構成は、吸水口部の後方に、管内を目視可能なカメラと、前記カメラを取り付け自在なカメラ取付部とを備えるカメラヘッドを設け、前記吸水口部が前記カメラヘッドよりも小径であり、前記吸水口部と前記カメラヘッドとの間を可撓性の抽水管で連通接続してある点にある。
【０００６】
請求項２に係わる本発明の管内抽水装置の特徴構成は、上記請求項１に係わる管内抽水装置において、前記可撓性の抽水管と、可撓性支持線状体とが前記可撓性の注水ホース内に収容されており、前記可撓性支持線状体が、前記可撓性の抽水管に沿って設けられている点にある。
【０００７】
〔特徴構成の作用及び効果〕
上記請求項１に記載の発明に係わる管内抽水装置の特徴構成によれば、吸水口部が抽水場所の水中に挿入されるのを確認でき、その後も前記吸水口部における抽水の状況を監視しながら抽水作業ができる。つまり、一工程で抽水作業を行うことができる。詳しくいえば、カメラ取付部の前方に吸水口部を配置してあるから、カメラで管内を監視する視野には、吸水口部も視認できるから、抽水ホースを挿入するのに、前記吸水口部が抽水すべき溜まり水に到達するところまで確認でき、その後に水吸引装置を作動させて抽水すれば、抽水ホース内を空引きすることがない。また、吸水口部から溜まり水を吸引している状態をも監視できるから、無駄のない抽水作業を行うことが可能になる。
【０００８】
さらに、上記請求項１に記載の発明に係わる管内抽水装置の特徴構成によれば、カメラの通過できない曲管部の前方の溜まり水も抽水できるようになる。つまり、例えば、小径管内の溜まり水を抽水する場合に、仮にカメラ取付部が通過できない立ち下がり曲管部の下方に溜まり水があったとしても、前記カメラ取付部の前方に、可撓性の抽水管で連通接続してある吸水口部が垂れ下がるから、前記吸水口部を溜まり水に到達させることが可能になる。
【０００９】
【発明の実施の形態】
以下、本発明に係わる管内抽水装置の一例について図面を参照しながら説明する。図１は本発明に係る管内抽水装置の一例を示す構成説明図であり、図２は、吸水口部及びカメラ取付部の構成の一例を示す構成説明図である。尚、上記従来の技術の説明に用いた図６及び図７に示した要素と同一の要素乃至同様の機能を果たす要素については同一の、或いは関連する符号を付し、詳細の説明の一部を省略する。
【００１０】
管内抽水装置は、図１に示すように、軟質プラスチック製の抽水管１４の一端部、即ち先端部に、溜まり水をその抽水管１４内に吸引自在な吸水口部１を形成してあり、他端部、即ち基端部を、カメラケーブル分岐部６を経て、吸引ポンプで構成された水吸引装置５に接続してある。
【００１１】
前記水吸引装置５を構成する吸引ポンプには、空気圧駆動のダイアフラムポンプを用いてあり、この駆動源として、前記水吸引装置５にはエアコンプレッサ５ａを備えている。
【００１２】
前記可撓性の抽水管１４と、カメラ４とモニタ８とを接続するカメラケーブル７とを、可撓性支持線状体１６と共に、軟質プラスチック製のチューブ状の被覆体１５内に納めて抽水ホース２を形成して（図３参照）、前記被覆体１５の先端部にはカメラ取付部３を設けてあり、基端部は前記カメラケーブル分岐部６に接続してある。そして、前記抽水管１４は、前記カメラ取付部３の前方にまで延出してあり、その先端部に球状部を設けて、その球状部に複数の吸引口１ａを穿孔し、先述のように、吸水口部１に形成してある。
【００１３】
前記カメラ取付部３は、図２に示すように、硬質管からなる抽水管接続部１１を、カメラ４を取り付け自在に形成して形成し、そのカメラ取付部３に小型ＣＣＤカメラ４Ａを取り付けてある。そして、前記カメラ取付部３と前記カメラ４との全体に防水カバー２１を被せて前記被覆体１５に水密に接続して、カメラヘッド２０に形成してある。尚、このカメラヘッド２０には、前方を照明する小型投光ランプ２２を備ている。従って、前記抽水ホース２には、この小型投光ランプ２２の電源ケーブルも収容してある。
【００１４】
以上の構成により、例えば前記カメラヘッド２０が配管Ｐの曲管部に支えて、これを通過できない場合にでも、前記カメラヘッド２０の前方に位置する吸水口部１は、前記カメラヘッド２０よりも小径であり、前記抽水管１４が可撓性であるから、前記曲管部を通過して、溜まり水に到達できる（図４参照）。しかも図示のように、前記吸水口部１が見える状態で、前記カメラヘッド２０は溜まり水の手前で濡れることなく抽水できる。
【００１５】
前記可撓性支持線状体１６は、前記吸水口部１と前記カメラヘッド２０とを共に配管内に挿入するためのもので、前記抽水管１４及び前記カメラケーブル７と、前記被覆体１５とを押すだけよりも挿入しやすくするために、可撓性でありながら、長さ方向には硬く形成さた、ワイヤで形成されている。この可撓性支持線状体１６を前記抽水管１４と前記カメラケーブル７とに沿わせてあることで、押し込み力を前記可撓性支持線状体１６に負担させることを可能として、押し込み力を前記カメラヘッド２０にまで伝達できる構成としてある（図３参照）。
【００１６】
前記管内の監視のためのＣＣＤカメラ４Ａの撮像した映像を目視するために、前記抽水ホース２とは別体に、モニタ８を備えている。このモニタ８は、前記カメラケーブル分岐部６から引き出されたカメラケーブル７に接続される（図１参照）。この構成により、作業者は、抽水ホース２の、管内への挿入に伴う繰り出しの際にも、自然な姿勢を維持しながら管内の監視、観察ができる。
【００１７】
〔別実施形態〕
〈１〉上記実施の形態においては、抽水管１４を軟質プラスチック製のものとして説明したが、その材質は任意であって、柔軟な可撓性を備えておればよい。例えば、金属蛇腹を備える可撓性管であってもよい。抽水管１４を金属蛇腹管で形成した場合には、これが可撓性を備える上に、長さ方向の硬さを有しているから、抽水ホース２に可撓性支持線状体１６を内装していなくても、十分にカメラヘッド２０と共に吸水口部１を所定位置にまで挿入できる。
【００１８】
〈２〉上記実施の形態においては、吸水口部１を、抽水管１４の先端部に球状部を設けて、その球状部に複数の吸引口１ａを穿孔し、吸水口部１に形成してある例を図示して説明したが、前記吸水口部１は、例えば図５に示すように、中空長球状、或いは中空楕円球状に形成した抽水ヘッド１０に、先端側に周部全周にわたって複数の透孔１０ａを形成し、基端部側には、抽水管接続部１１を設け、前記抽水ヘッド１０内の前記透孔１０ａと前記抽水管接続部１１との間に隔壁１２を設けて、その隔壁１２の中央部に吸引管接続孔部１２ａを形成して、その吸引管接続孔部１２ａに、短管からなる吸引管１３を、前方向に揺動可能に水密接続してあってもよい。このように吸水口部１を構成すれば、その長軸回りに前記吸水口部１が回転して姿勢を変化させたとしても、常に前記吸引管１３の先端部の吸引口１ａは下方に向かう姿勢をとることになり、前記吸引口１ａが宙に浮いて空引きすることを防止できる。
【００１９】
〈３〉上記実施の形態においては、カメラ取付部３にカメラ４として小型ＣＣＤカメラ４Ａを取り付けてある例について図示説明したが、前記カメラ４は他のカメラであってもよく、例えば、画像伝送用の光ファイバー束の先端部にレンズを形成した、画像取り込みヘッドであってもよい。この場合には、先述のモニタ８は、前記光ファイバー束を経て伝達された画像光を結像させるスクリーンとなる。
【００２０】
〈４〉上記実施の形態においては、カメラ取付部３にカメラ４と共に小型投光ランプ２２を備えさせた例について図示説明したが、前記小型投光ランプ２２は、別体のものであってもよい。つまり、照明手段を別途配管Ｐ内に挿入するようにしてあってもよい。
【００２１】
〈５〉上記実施の形態においては、水吸引装置５を構成する吸引ポンプに、空気圧駆動のダイアフラムポンプを用いた例について説明したが、前記吸引ポンプは、任意のものを使用可能で、ピストンポンプ、遠心ポンプ、ターボポンプ、エジェクタポンプ等が例示できる。また、その駆動源も、空気圧に限らず、油圧駆動するものであってもよく、電気駆動するものであってもよい。
【図面の簡単な説明】
【図１】本発明に係る管内抽水装置の一例を示す構成説明図
【図２】図１に示した例の要部を説明する要部構成図
【図３】図１に示した抽水ホースの構成例を説明する要部横断面図
【図４】抽水状態の一例を示す説明図
【図５】抽水ヘッドの他の例を示す要部縦断面図
【図６】従来の抽水ヘッドの例を示す縦断面図
【図７】従来の管内抽水装置の使用例を示す構成説明図
【符号の説明】
１      吸水口部
２      抽水ホース
３      カメラ取付部
４      水吸引装置
【図１】
0003963577.tif 000002
【図２】
0003963577.tif 000003
【図３】
0003963577.tif 000004
【図４】
0003963577.tif 000005
【図５】
0003963577.tif 000006
【図６】
0003963577.tif 000007
【図７】
0003963577.tif 000008